(57)【要約】  本発明は無線周波数リンク送受信性能を向上させる装置を開示し、無線周波数送信リンク、無線周波数受信リンク、及びテストリンクを含み、前記無線周波数送信リンクにおけるパワーアンプと第１アンテナ接触リードとの間に第１ノードが設置され、前記第１ノードは、テストリンクにおける無線周波数メインスイッチの第１オンオフポートに接続され、前記無線周波数受信リンクにおける受信フィルタと第２アンテナ接触リードとの間に第２ノードが設置され、前記第２ノードは、テストリンクにおける無線周波数メインスイッチの第３オンオフポートに接続され、前記テストリンクにおける無線周波数メインスイッチの第２オンオフポートは、抵抗によって接地される。本発明は、無線周波数リンク送受信性能を向上させる移動端末、方法、記憶媒体を更に開示する。【選択図】図２
2017505040.tif 000002
【特許請求の範囲】
【請求項１】
信号を送信するように設定される無線周波数送信リンク、基地局の送信信号を受信するように設定される無線周波数受信リンク、及び無線周波数送信リンクと無線周波数受信リンクをテストするように設定されるテストリンクを含む無線周波数リンク送受信性能を向上させる装置であって、
前記無線周波数送信リンクにおけるパワーアンプと第１アンテナ接触リードの間に第１ノードが設置され、前記第１ノードは、前記テストリンクにおける無線周波数メインスイッチの第１オンオフポートに接続され、
前記無線周波数受信リンクにおける受信フィルタと第２アンテナ接触リードの間に第２ノードが設置され、前記第２ノードは、前記テストリンクにおける無線周波数メインスイッチの第３オンオフポートに接続され、
前記テストリンクにおける無線周波数メインスイッチの第２オンオフポートは、抵抗により接地される、無線周波数リンク送受信性能を向上させる装置。
【請求項２】
前記無線周波数送信リンクは、ベースバンドチップ、無線周波数送受信チップ、送信フィルタ、及び送信アンテナを更に含み、前記ベースバンドチップは、前記無線周波数送受信チップに相互接続され、前記無線周波数送受信チップの出力は、前記送信フィルタに接続され、前記送信フィルタは、前記パワーアンプを介して送信アンテナに接続される、請求項１に記載の無線周波数リンク送受信性能を向上させる装置。
【請求項３】
前記無線周波数受信リンクは、受信アンテナ、無線周波数送受信チップ、及びベースバンドチップを更に含み、前記ベースバンドチップは、前記無線周波数送受信チップに相互接続され、前記受信フィルタの出力は、前記無線周波数送受信チップに接続され、前記受信アンテナは、前記受信フィルタに接続される、請求項１に記載の無線周波数リンク送受信性能を向上させる装置。
【請求項４】
前記テストリンクは、ベースバンドチップ及び無線周波数テストソケットを更に含み、前記無線周波数テストソケットは、前記無線周波数メインスイッチと前記ベースバンドチップの間に設置される、請求項１に記載の無線周波数リンク送受信性能を向上させる装置。
【請求項５】
テスト信号を送信するように設定される無線周波数送信リンク、テスト信号を受信するように設定される無線周波数受信リンク、無線周波数送信リンクと無線周波数受信リンクをテストするように設定されるテストリンク、及びテスト装置に電源を供給するように設定される給電回路を含む、無線周波数リンク送受信性能を向上させるテスト装置であって、
前記無線周波数送信リンクにおけるパワーアンプは、前記テストリンクにおける無線周波数メインスイッチの第１オンオフポートに接続され、
前記無線周波数受信リンクにおける受信フィルタは、テストリンクにおける無線周波数メインスイッチの第３オンオフポートに接続され、
前記テストリンクにおける無線周波数メインスイッチの第２オンオフポートは、抵抗によって接地される、無線周波数リンク送受信性能を向上させるテスト装置。
【請求項６】
前記無線周波数送信リンクは、ベースバンドチップ、無線周波数送受信チップ、及び送信フィルタを更に含み、前記ベースバンドチップが、前記無線周波数送受信チップに相互接続され、前記無線周波数送受信チップの出力が、前記送信フィルタに接続され、前記送信フィルタが、前記パワーアンプに接続される、請求項５に記載の無線周波数リンク送受信性能を向上させるテスト装置。
【請求項７】
前記無線周波数受信リンクは、無線周波数送受信チップ及びベースバンドチップを更に含み、前記ベースバンドチップが、前記無線周波数送受信チップに相互接続され、前記受信フィルタの出力が、前記無線周波数送受信チップに接続される、請求項5に記載の無線周波数リンク送受信性能を向上させるテスト装置。
【請求項８】
前記テストリンクは、無線周波数送信リンクと無線周波数受信リンクをテストすることに用いられ、前記テストリンクは、統合測定器、ベースバンドチップ、及び無線周波数テストソケットを更に含み、前記無線周波数テストソケットは、前記無線周波数メインスイッチと前記ベースバンドチップの間に設置され、前記統合測定器は、前記無線周波数テストソケットに接続される、請求項５に記載の無線周波数リンク送受信性能を向上させるテスト装置。
【請求項９】
前記給電回路は、ベース、テスト給電接点、及びMicro-USBソケット、
又はベース、Micro-USBソケット、及びMicro-USB接続線を含む、請求項５に記載の無線周波数リンク送受信性能を向上させるテスト装置。
【請求項１０】
請求項１〜４のいずれか一項に記載の無線周波数リンク送受信性能を向上させる装置を含み、或いは、
請求項５〜９のいずれか一項に記載の無線周波数リンク送受信性能を向上させるテスト装置を含む、無線周波数リンク送受信性能を向上させる移動端末。
【請求項１１】
テストリンクにおける無線周波数メインスイッチの第１オンオフポートを、無線周波数送信リンクにおけるパワーアンプと第１アンテナ接触リードの間の第１ノードに接続して、テストリンクにおける無線周波数メインスイッチの第３オンオフポートを、無線周波数受信リンクにおける受信フィルタと第２アンテナ接触リードの間の第２ノードに接続し、テストリンクにおける無線周波数メインスイッチの第２オンオフポートを、抵抗によって地面に接地するステップを含み、使用する際に、前記方法は、
無線周波数送受信チップが、ベースバンドチップが出力したベースバンド信号を高周波キャリア信号上に変調して、前記高周波キャリア信号を送信フィルタによってフィルタリングして、パワーアンプによって増幅した後に、第１アンテナ接触リードを介して送信アンテナに送信するステップと、
受信アンテナが、基地局が送信した信号を第２アンテナ接触リードを介して受信フィルタに送信して、受信フィルタによってフィルタリングして、無線周波数送受信チップによって信号復調した後に、ベースバンドチップに送信するステップと、を更に含む無線周波数リンク送受信性能を向上させる方法。
【請求項１２】
テストリンクにおける無線周波数メインスイッチの第１オンオフポートを、無線周波数送信リンクにおけるパワーアンプに接続して、テストリンクにおける無線周波数メインスイッチの第３オンオフポートを、無線周波数受信リンクにおける受信フィルタに接続し、テストリンクにおける無線周波数メインスイッチの第２オンオフポートを、抵抗によって接地するステップを含み、
ベースバンドチップが、送信リンクキャリブレーション命令を送信して、共通端と第１オンオフポートとを連通するように無線周波数メインスイッチを制御して、パワーアンプと無線周波数テストソケットとを連通させるステップと、
ベースバンドチップが、受信リンクキャリブレーション命令を送信して、共通端と第３オンオフポートとを連通するように無線周波数メインスイッチを制御して、受信フィルタと無線周波数テストソケットとを連通させるステップと、を更に含む無線周波数リンク送受信性能を向上させるテスト方法。
【請求項１３】
ベースバンドチップが前記キャリブレーション命令を送信する前に、ベースバンドチップが、無線周波数リンクがキャリブレーション状態にあるかどうかを判断するステップを更に含み、
前記ベースバンドチップが、無線周波数リンクがキャリブレーション状態にあるかどうかを判断するのは、
無線周波数リンクが給電とセルフテストを完了した後に、ベースバンドチップが、無線周波数メインスイッチの共通端と第２オンオフポートとの連通を制御し、無線周波数テストソケットが、無線周波数メインスイッチ及び抵抗によって接地され、ベースバンドチップが、抵抗の存在を検出することができることと、
無線周波数同軸ケーブルが無線周波数テストソケットに接続された後に、無線周波数同軸ケーブルが、無線周波数テストソケットによって無線周波数メインスイッチに接続され、ベースバンドチップがは抵抗の存在が検出できないと、無線周波数リンクがキャリブレーション状態にあると判断することと、を含む請求項１２に記載の無線周波数リンク送受信性能を向上させるテスト方法。
【請求項１４】
前記パワーアンプが無線周波数テストソケットに連通された後に、前記方法は、
無線周波数送受信チップが、ベースバンドチップが出力したベースバンド信号を高周波キャリア信号上に変調して、前記高周波キャリア信号を送信フィルタによってフィルタリングして、パワーアンプによって増幅した後に、無線周波数テストソケットを経由して統合測定器に送信するステップを更に含む、請求項１２又は１３に記載の無線周波数リンク送受信性能を向上させるテスト方法。
【請求項１５】
前記受信フィルタが無線周波数テストソケットに連通された後に、前記方法は、
統合測定器が送信した信号を、無線周波数テストソケットを経由して受信フィルタに送信し、受信フィルタによってフィルタリングして、無線周波数送受信チップによって信号復調した後にベースバンドチップに送信するステップを更に含む請求項１２又は１３に記載の無線周波数リンク送受信性能を向上させるテスト方法。
【請求項１６】
コンピュータ実行可能な命令が記憶されていて、該コンピュータが実行可能な命令は、請求項１１に記載の無線周波数リンク送受信性能を向上させる方法、及び/又は請求項１２〜１５のいずれか一項に記載の無線周波数リンク送受信性能を向上させるテスト方法を実行することに用いられるコンピュータ記憶媒体。
【発明の詳細な説明】
【技術分野】
【０００１】
本発明は、移動端末における無線周波数リンク性能の管理技術に関し、特に無線周波数リンク送受信性能を向上させる装置、移動端末、方法、記憶媒体に関する。
【背景技術】
【０００２】
無線通信技術の急速な発展及び幅広い普及に伴って、ユーザは既に新技術が備える高速及び利便がもたらすワイヤレスモバイル生活方式を深く体験でき、ユーザ向けに使用される移動端末製品、例えば、フィーチャーフォン（Function Phone）、スマートフォン（Smart Phone）、データカード（Data card）及びポータブルＷｉＦｉホットスポット（Hot Spot）等の製品は、広く普及し使用される。
【０００３】
移動通信は、２Ｇ/３Ｇ/４Ｇのような果てしない発展と進化過程を経た後に、現在、長期進化（ＬＴＥ、Long Term Evolution）ネットワークが全面的に普及しつつあり、各国家はネットワーク建設の規模化を拡大させている。ＬＴＥは、第４世代（４Ｇ）移動通信技術の標準技術として、直交周波数分割多重（ＯＦＤＭ、Orthogonal Frequency Division Multiplexing）技術と多重入出力（ＭＩＭＯ、Multiple-Input Multiple-Output）アンテナ等の重要な伝送技術を導入し、効果的にスペクトル効率とデータ転送速度を増加させている。カテゴリ３（Cat3）技術仕様の枠組みで、ＬＴＥ技術のピーク速度がアップリンク５０Mbit/sとダウンリンク１００Mbit/sに達し、且つ多種の帯域幅割当、１.４MHz、３MHz、５MHz、１０MHz、１５MHz、及び２０MHz等をサポートし、このように、スペクトル割り当てを更に柔軟にし、システムの容量及びカバレッジを顕著に向上させる。ＬＴＥ無線ネットワークアーキテクチャをよりフラットにし、システム遅延を減少させて、ネットワーク建設コスト及びメンテナンスコストを低減させ、第３世代パートナーシッププロジェクト（３ＧＰＰ、The 3rd Generation Partnership Project）システムとの相互運用性をサポートすることができる。
【０００４】
時分割−長期進化（ＴＤ−ＬＴＥ、Time Division-Long Term Evolution）技術は、４Ｇにおける重要なブランチであり、周波数分割複信−長期進化（ＦＤＤ−ＬＴＥ、Frequency Division Duplexing-Long Term Evolution）技術に対応する。ＦＤＤ−ＬＴＥのアップリンクとダウンリンク機能がペアになった対称バンドで作動することと異なり、ＴＤ−ＬＴＥのアップリンクとダウンリンク機能は同じバンドで実現されるため、リソースの利用率を向上させることができ、且つ、ＴＤ−ＬＴＥが、実際の使用には、ユーザの具体的な需要に応じて、アップリンク/ダウンリンクのフレーム構造の割り付け比率を調整することによって、ＬＴＥネットワークとシステムリソースの利用率を向上させ、より強い柔軟性を有する。
【０００５】
しかしながら、従来、移動端末に用いられるパワーアンプ（ＰＡ、Power Amplifier）は、ほとんどがモノリシック集積アンプであり、入力および出力マッチングネットワーク、直流バイアス回路及び増幅管コア等のすべてを１つの小さいＧａＡＳを基板とするチップに集積して、体積が小さく、重量が軽く、信頼性が高く、コストが低い等の特徴を有し、且つ使用者が再び入力および出力マッチングネットワークと静的な動作点を設計する必要がないことによって、設計時間を節約するが、マッチングネットワークにおけるインダクタＬとコンデンサＣは、それぞれ金線と金箔からなるため、耐電力が相対的に小さくなってしまい、体積が小さく、直流の消費電力が大きく、コアから素子表面までの熱抵抗が大きいため、強い発熱を起こしてしまう。このように、このようなパワーアンプの最大の出力電力は約２８−３０dBmであり、より高い出力電力に達しにくく、更に、１dB圧縮ポイント要因を考えると、パワーアンプが実際に使用可能な出力電力は、約２７−２９dBmだけである。
【０００６】
また、４Ｇネットワークを構築した又は構築している国家及び地域で、事業者の移動端末に対する具体的な要求は、３ＧＰＰのカスタマイズ標準仕様を参照する以外、更に本国又は地域のネットワーク配置の特徴、実際のユーザ需要等の様々な要因に応じて、関連の標準仕様を制定し、重要なのは移動端末のシールドルームの（ＯＴＡ、Over The Air）指標であり、全放射電力（ＴＲＰ、Total Radiated Power）と全等方感度（ＴＩＳ,Total Isotropic Sensitivity）を含み、該指標は直接に具体なユーザ体験に関連し、事業者が移動端末製品を選択する重要な標準である。通常の意味で、３ＧＰＰ規定の送信電力と受信感度に達する前提で、より高い全放射電力と全等方感度を有することが望ましい。
【０００７】
従来、全放射電力の向上には、無線周波数リンクからアンテナポートまでの電力が一定である場合に、アンテナをデバッグして、より高い放射効率を持たせることで、全放射電力を向上させることができるパス、及び、アンテナの放射効率が一定である場合に、無線周波数リンクの出力電力を向上させ又はそのリンク挿入損失を低下させることで、全放射電力を向上させることもできるパスがある。これらを比べて、アンテナの設計が完成し確定した後に、無線周波数リンクの出力電力の向上はより容易且つ簡単な措置である。
【０００８】
全等方感度の向上には、類似的に、無線周波数リンクポートの受信感度が一定である場合に、アンテナをデバッグして、その効率を向上させることで、全等方感度を向上させることができるパス、及びアンテナの効率が一定である場合に、受信リンクにおける挿入損失を減少することで、全等方感度を向上させることもできるパスがある。これらを比べて、アンテナの設計が完成し確定した後に、受信無線周波数リンクの挿入損失の低下はより容易且つ簡単な措置である。３ＧＰＰに規定した送信電力と受信感度に達する前提で、より高い全放射電力と全等方感度を持つ製品は、送信リンクの送信電力と受信リンクの受信感度を向上させることができる。
【発明の概要】
【発明が解決しようとする課題】
【０００９】
これを鑑みて、本発明の実施例は、移動端末の送信電力と受信感度を向上させることができる無線周波数リンク送受信性能を向上させる装置、移動端末、方法、記憶媒体を提供するものである。
【課題を解決するための手段】
【００１０】
上記の目的を達成するために、本発明の実施例の技術的解決手段は、以下のように実現される。
【００１１】
本発明の実施例は、無線周波数リンク送受信性能を向上させる装置を提供し、信号を送信するように設定される無線周波数送信リンク、基地局の送信信号を受信するように設定される無線周波数受信リンク、及び無線周波数送信リンクと無線周波数受信リンクをテストするように設定されるテストリンクを含み、
前記無線周波数送信リンクにおけるパワーアンプと第１アンテナ接触リードの間に第１ノードが設置され、前記第１ノードは、前記テストリンクにおける無線周波数メインスイッチの第１オンオフポートに接続され、
前記無線周波数受信リンクにおける受信フィルタと第２アンテナ接触リードの間に第２ノードが設置され、前記第２ノードは、前記テストリンクにおける無線周波数メインスイッチの第３オンオフポートに接続され、
前記テストリンクにおける無線周波数メインスイッチの第２オンオフポートは、抵抗により接地される。
【００１２】
好ましくは、前記無線周波数送信リンクは、ベースバンドチップ、無線周波数送受信チップ、送信フィルタ及び送信アンテナを更に含み、前記ベースバンドチップは前記無線周波数送受信チップに相互接続され、前記無線周波数送受信チップの出力が前記送信フィルタに接続され、前記送信フィルタは前記パワーアンプを介して送信アンテナに接続される。
【００１３】
好ましくは、前記無線周波数受信リンクは、受信アンテナ、無線周波数送受信チップ及びベースバンドチップを更に含み、前記ベースバンドチップは前記無線周波数送受信チップに相互接続され、前記受信フィルタの出力は前記無線周波数送受信チップに接続され、前記受信アンテナは前記受信フィルタに接続される。
【００１４】
好ましくは、前記テストリンクは、ベースバンドチップ及び無線周波数テストソケットを更に含み、前記無線周波数テストソケットは前記無線周波数メインスイッチと前記ベースバンドチップの間に設置される。
【００１５】
本発明の実施例は、無線周波数リンク送受信性能を向上させるテスト装置を更に提供し、テスト信号を送信するように設定される無線周波数送信リンク、テスト信号を受信するように設定される無線周波数受信リンク、無線周波数送信リンクと無線周波数受信リンクをテストするように設定されるテストリンク、及び前記テスト装置に電源を供給するように設定される給電回路を含み、
前記無線周波数送信リンクにおけるパワーアンプは、前記テストリンクにおける無線周波数メインスイッチの第１オンオフポートに接続され、
前記無線周波数受信リンクにおける受信フィルタは、テストリンクにおける無線周波数メインスイッチの第３オンオフポートに接続され、
前記テストリンクにおける無線周波数メインスイッチの第２オンオフポートは、抵抗によって接地される。
【００１６】
好ましくは、前記無線周波数送信リンクは、ベースバンドチップ、無線周波数送受信チップ、及び送信フィルタを更に含み、前記ベースバンドチップは前記無線周波数送受信チップに相互接続され、前記無線周波数送受信チップの出力が前記送信フィルタに接続され、前記送信フィルタが前記パワーアンプに接続される。
【００１７】
好ましくは、前記無線周波数受信リンクは、無線周波数送受信チップ及びベースバンドチップを更に含み、前記ベースバンドチップは前記無線周波数送受信チップに相互接続され、前記受信フィルタの出力が前記無線周波数送受信チップに接続される。
【００１８】
好ましくは、前記テストリンクは、無線周波数送信リンクと無線周波数受信リンクをテストすることに用いられ、前記テストリンクは、統合測定器、ベースバンドチップ、及び無線周波数テストソケットを更に含み、前記無線周波数テストソケットは、前記無線周波数メインスイッチと前記ベースバンドチップの間に設置され、前記統合測定器は、前記無線周波数テストソケットに接続される。
【００１９】
好ましくは、前記給電回路は、ベース、テスト給電接点、及びMicro-USBソケット又はベース、Micro-USBソケット、及びMicro-USB接続線を含む。
【００２０】
本発明の実施例は、無線周波数リンク送受信性能を向上させる移動端末を提供して、前記移動端末は、上記のいずれかの前記の無線周波数リンク送受信性能を向上させる装置を含み、或いは、
前記移動端末は、上記のいずれかの前記の無線周波数リンク送受信性能を向上させるテスト装置を含むことを特徴とする。
【００２１】
本発明の実施例は、無線周波数リンク送受信性能を向上させる方法を提供し、テストリンクにおける無線周波数メインスイッチの第１オンオフポートを、無線周波数送信リンクにおけるパワーアンプと第１アンテナ接触リードの間の第１ノードに接続して、テストリンクにおける無線周波数メインスイッチの第３オンオフポートを、無線周波数受信リンクにおける受信フィルタと第２アンテナ接触リードの間の第２ノードに接続し、テストリンクにおける無線周波数メインスイッチの第２オンオフポートを、抵抗によって接地し、使用する際に、前記方法は、
無線周波数送受信チップが、ベースバンドチップが出力したベースバンド信号を高周波キャリア信号上に変調して、前記高周波キャリア信号を送信フィルタによってフィルタリングして、パワーアンプによって増幅した後に、第１アンテナ接触リードを介して送信アンテナに送信するステップと、
受信アンテナが、基地局が送信した信号を第２アンテナ接触リードを介して受信フィルタに送信して、受信フィルタによってフィルタリングして、無線周波数送受信チップによって信号復調した後にベースバンドチップに送信するステップと、を更に含む。
【００２２】
本発明の実施例は、無線周波数リンク送受信性能を向上させるテスト方法を更に提供し、テストリンクにおける無線周波数メインスイッチの第１オンオフポートを、無線周波数送信リンクにおけるパワーアンプに接続して、テストリンクにおける無線周波数メインスイッチの第３オンオフポートを、無線周波数受信リンクにおける受信フィルタに接続し、テストリンクにおける無線周波数メインスイッチの第２オンオフポートを、抵抗によって接地し、前記方法は、
ベースバンドチップが、送信リンクキャリブレーション命令を送信して、無線周波数メインスイッチを制御し、共通端と第１オンオフポートとを連通させ、パワーアンプと無線周波数テストソケットとを連通させるステップと、
ベースバンドチップが、受信リンクキャリブレーション命令を送信して、無線周波数メインスイッチを制御し、共通端と第３オンオフポートとを連通させ、受信フィルタと無線周波数テストソケットとを連通させるステップと、を更に含む。
【００２３】
好ましくは、ベースバンドチップが前記キャリブレーション命令を送信する前に、前記方法は、ベースバンドチップが、無線周波数リンクがキャリブレーション状態にあるかどうかを判断するステップを更に含み、
前記ベースバンドチップが、無線周波数リンクがキャリブレーション状態にあるかどうかを判断することは、
無線周波数リンクが給電とセルフテストを完了した後に、ベースバンドチップが無線周波数メインスイッチの共通端と第２オンオフポートとの連通を制御し、無線周波数テストソケットが無線周波数メインスイッチ及び抵抗によって接地され、ベースバンドチップが抵抗の存在を検出することができることと、
無線周波数同軸ケーブルが無線周波数テストソケットに接続された後に、無線周波数同軸ケーブルが無線周波数テストソケットによって無線周波数メインスイッチに接続され、ベースバンドチップが抵抗の存在を検出できないと、無線周波数リンクがキャリブレーション状態にあると判断することと、を含む。
【００２４】
好ましくは、前記パワーアンプが無線周波数テストソケットに連通された後に、前記方法は、
無線周波数送受信チップが、ベースバンドチップが出力したベースバンド信号を高周波キャリア信号上に変調して、前記高周波キャリア信号を送信フィルタによってフィルタリングして、パワーアンプによって増幅した後に、無線周波数テストソケットを経由して統合測定器に送信するステップを更に含む。
【００２５】
好ましくは、前記受信フィルタが無線周波数テストソケットに連通された後に、前記方法は、
統合測定器が送信した信号を無線周波数テストソケットを経由して受信フィルタに送信し、受信フィルタによってフィルタリングして、無線周波数送受信チップによって信号復調した後にベースバンドチップに送信するステップを更に含む。
【００２６】
本発明の実施例は、コンピュータ記憶媒体を更に提供し、前記コンピュータ記憶媒体にコンピュータプログラムが記憶され、該コンピュータプログラムは、本発明の実施例の上記無線周波数リンク送受信性能を向上させる方法、及び/又は上記無線周波数リンク送受信性能を向上させるテスト方法を実行することに用いられる。
【発明の効果】
【００２７】
本発明の実施例が提供する無線周波数リンク送受信性能を向上させる装置、移動端末、方法、記憶媒体は、無線周波数送信リンクと無線周波数受信リンクに、無線周波数メインスイッチ、無線周波数テストソケット、及び対応的な整合ネットワークを使用せず、このように、顕著に無線周波数送信リンクと無線周波数受信リンクの挿入損失を減少させて、効果的に無線周波数リンクの送信性能及び受信性能を向上させることができる。
【００２８】
本発明の一実施例は、無線周波数送信リンクにおけるパワーアンプと第１アンテナ接触リードの間に第１ノードを設置して、且つ第１ノードをテストリンクにおける無線周波数メインスイッチの第１オンオフポートに接続し、無線周波数受信リンクにおける受信フィルタと第２アンテナ接触リードの間に第２ノードを設置して、第２ノードをテストリンクの無線周波数メインスイッチの第３オンオフポートに接続して、使用する時に、移動端末の送信電力と受信感度を向上させることができる。
【００２９】
本発明の他の実施例は、テストリンクにおける無線周波数メインスイッチの第１オンオフポートを、無線周波数送信リンクにおけるパワーアンプに接続して、テストリンクにおける無線周波数メインスイッチの第３オンオフポートを、無線周波数受信リンクにおける受信フィルタに接続し、テストリンクにおける無線周波数メインスイッチの第２オンオフポートを、抵抗によって接地し、テスト時に、無線周波数メインスイッチの共通端と第１オンオフポートとを連通させ、又は第２オンオフポートとを連通させるように制御することによって、無線周波数送信リンクのテスト、又は無線周波数受信リンクのテストを実現することができる。
【図面の簡単な説明】
【００３０】
【図１】図１は、無線周波数リンクの組成構造模式図である。
【図２】図２は、本発明の実施例における、無線周波数リンク送受信性能を向上させる装置を示す組成構造模式図である。
【図３】図３は、本発明の実施例における、無線周波数リンク送受信性能を向上させる方法によって信号を送信する時の実行フローチャートである。
【図４】図４は、本発明の実施例における無線周波数リンク送受信性能を向上させる方法によって信号を受信する時の実行フローチャートである。
【図５】図５は、本発明の実施例における、無線周波数リンク送受信性能を向上させるテスト装置を示す組成構造模式図である。
【図６】図６は、本発明の実施例における、無線周波数リンク送受信性能を向上させるテスト方法によって無線周波数送信リンクをテストする時の実行フローチャートである。
【図７】図７は、本発明の実施例における、無線周波数リンク送受信性能を向上させるテスト方法によって無線周波数受信リンクをテストする時の実行フローチャートである。
【図８】図８は、本発明の実施例における、無線周波数リンク送受信性能を向上させる移動端末を示す組成構造模式図である。
【発明を実施するための形態】
【００３１】
図１は、ＴＤ−ＬＴＥ方式の無線周波数リンクの組成構造を示し、図１に示すように、無線周波数リンクは、無線周波数送信リンクと無線周波数受信リンクとを含み、
無線周波数送信リンクは、ベースバンドチップ１０８、無線周波数送受信チップ１０６、送信フィルタ１０５、パワーアンプ１０４、無線周波数メインスイッチ１０３、無線周波数テストソケット１０２、アンテナ接触リード１０９、及びアンテナ１０１を含み、信号を送信する際に、無線周波数送受信チップ１０６は、ベースバンドチップ１０８が出力したベースバンド信号を高周波キャリア信号上に変調して、前記高周波キャリア信号を送信フィルタ１０５に送信し、送信フィルタ１０５は、受信した前記高周波キャリア信号をフィルタリングした後にパワーアンプ１０４に送信し、パワーアンプ１０４は、受信した前記高周波キャリア信号を増幅した後に、無線周波数メインスイッチ１０３、無線周波数テストソケット１０２、及びアンテナ接触リード１０９を介してアンテナ１０１に送信して、基地局に通信する。
【００３２】
無線周波数受信リンクは、アンテナ１０１、アンテナ接触リード１０９、無線周波数テストソケット１０２、無線周波数メインスイッチ１０３、受信フィルタ１０７、無線周波数送受信チップ１０６、及びベースバンドチップ１０８を含み、信号を受信する際に、アンテナ１０１は、受信した基地局が送信した信号を、無線周波数テストソケット１０２と無線周波数メインスイッチ１０３によって受信フィルタ１０７に送信し、受信フィルタ１０７は、受信した信号をフィルタリングした後に、無線周波数送受信チップ１０６に送信し、無線周波数送受信チップ１０６は、受信した信号を復調して、復調後の信号をベースバンドチップ１０８に送信して情報処理する。
【００３３】
図１に示すＴＤ−ＬＴＥ方式の無線周波数リンク構造において、送信リンクに対して、信号をパワーアンプ１０４からアンテナ接触リード１０９まで、無線周波数メインスイッチ１０３と無線周波数テストソケット１０２を経由する必要があり、従来の設計と製造プロセスレベルに基づいて、無線周波数メインスイッチは低周波から高周波まで、０.６−１.５dBの挿入損失が存在し、無線周波数テストソケットは低周波から高周波まで、０.２−０.３dBの挿入損失が存在し、送信リンクに高電力送信フィルタと対応的な無線周波数整合リンクを増加すると、送信リンクが再び１−１.５dBの挿入損失を増加させることがあるため、パワーアンプ１０４の出力ポートからアンテナ接触リード１０９まで、１.８−３.３dBの挿入損失が増加し、従来、移動端末が用いるパワーアンプ１０４の最大の使用可能な出力電力が２７−２９dBmであるので、アンテナ接触リード１０９に達する電力が２３.７−２７.２dBmのみであり、高くはなく、それと同時に、パワーアンプは既に最大の出力電力に近い状態にあり、発熱と消費電力が効果的に低下しにくく、製品の信頼性設計を向上させることに不利である。
【００３４】
上記の問題を解決するために、本発明の実施例において、無線周波数送信リンクにおけるパワーアンプと第１アンテナ接触リードを、第１ノードを介してテストリンクにおける無線周波数メインスイッチの第１オンオフポートに接続し、無線周波数受信リンクにおける受信フィルタと第２アンテナ接触リードを、第２ノードを介してテストリンクにおける無線周波数メインスイッチの第３オンオフポートに接続し、テストする時に、無線周波数メインスイッチの共通端と第１オンオフポートとを連通させ、又は第２オンオフポートとを連通させるように制御することによって、無線周波数送信リンクと無線周波数受信リンクには無線周波数メインスイッチ、無線周波数テストソケット、及び対応的なマッチングネットワークを使用しない。
【００３５】
具体的に、信号を送信する際に、無線周波数送受信チップが、ベースバンドチップが出力したベースバンド信号を高周波キャリア信号上に変調して、前記高周波キャリア信号を送信フィルタ、パワーアンプによって増幅した後に、第１アンテナ接触リードを介して送信アンテナに送信し、無線周波数送信リンクには、無線周波数メインスイッチと無線周波数テストソケットを使用せず、効果的に送信リンクの挿入損失を減少することができる。
【００３６】
信号を受信する際に、受信アンテナが、基地局が送信した信号を第２アンテナ接触リードを介して受信フィルタに送信し、受信フィルタ、無線周波数送受信チップによって信号復調した後に、ベースバンドチップに送信し、無線周波数受信リンクには、無線周波数メインスイッチと無線周波数テストソケットを使用せず、効果的に送信リンクの挿入損失を減少することができる。
【００３７】
本発明の実施例には、無線周波数メインスイッチの第１オンオフポートを、無線周波数送信リンクにおけるパワーアンプと第１アンテナ接触リードとの間の第１ノードに接続し、無線周波数メインスイッチの第３オンオフポートを、無線周波数受信リンクにおける受信フィルタと第２アンテナ接触リードとの間の第２ノードに接続し、無線周波数送信リンクをテストする際に、ベースバンドチップは、送信リンクキャリブレーション命令を送信して、無線周波数メインスイッチを制御し、共通端と第１オンオフポートとを連通させ、パワーアンプと無線周波数テストソケットとを連通させ、無線周波数受信リンクをテストする際に、ベースバンドチップは、受信リンクキャリブレーション命令を送信して、無線周波数メインスイッチを制御し、共通端と第３オンオフポートとを連通させ、受信フィルタと無線周波数テストソケットとを連通させる。
【００３８】
なお、本発明の実施例において、前記受信アンテナと送信アンテナは、逆Ｆアンテナ（Inverted F-Antenna、ＩＦＡ）、平面逆Ｆアンテナ（Planar Inverted F-Antenna、ＰＩＦＡ）、レーザーアンテナ（Laser Direct Structuring、ＬＤＳ）等の分離可能なアンテナを採用することができる。
【００３９】
以下、図面と具体的な実施例を結びつけながら、本発明の実施例の技術的解決手段について更に詳しく説明する。
【００４０】
本発明の実施例における無線周波数リンク送受信性能を向上させる装置は、図２に示すように、前記装置は、無線周波数送信リンク１０、無線周波数受信リンク２０、及びテストリンク３０を含み、
前記無線周波数送信リンク１０におけるパワーアンプ２０２と第１アンテナ接触リード２１１との間に第１ノード２１２が設置され、前記第１ノード２１２は、テストリンク３０における無線周波数メインスイッチ２０９の第１オンオフポート２１６に接続され、
前記無線周波数受信リンク２０における受信フィルタ２０６と第２アンテナ接触リード２１３との間に第２ノード２１４が設置され、前記第２ノード２１４は、テストリンク３０における無線周波数メインスイッチ２０９の第３オンオフポート２１８に接続され、
前記テストリンク３０における無線周波数メインスイッチ２０９の第２オンオフポート２１７は、抵抗２１４によって接地される。
【００４１】
具体的に、前記無線周波数送信リンク１０は、信号を送信するように設定され、前記無線周波数送信リンク１０は、ベースバンドチップ２０５、無線周波数送受信チップ２０４、送信フィルタ２０３、及び送信アンテナ２０１を更に含み、前記ベースバンドチップ２０５は、前記無線周波数送受信チップ２０４に相互接続され、前記無線周波数送受信チップ２０４の出力は、前記送信フィルタ２０３に接続され、前記送信フィルタ２０３は、前記パワーアンプ２０２を介して送信アンテナ２０１に接続される。
【００４２】
前記無線周波数受信リンク２０は、基地局が送信した信号を受信するように設定され、前記無線周波数受信リンク２０は、受信アンテナ２０７、無線周波数送受信チップ２０４、及びベースバンドチップ２０５を更に含み、前記ベースバンドチップ２０５は、前記無線周波数送受信チップ２０４に相互接続され、前記受信フィルタ２０６の出力は、前記無線周波数送受信チップ２０４に接続され、前記受信アンテナ２０７は、前記受信フィルタ２０６に接続される。
【００４３】
前記テストリンク３０は、無線周波数送信リンク１０と無線周波数受信リンク２０をテストするように設定され、前記テストリンク３０は、ベースバンドチップ２０５及び無線周波数テストソケット２０８を更に含み、前記無線周波数テストソケット２０８は、前記無線周波数メインスイッチ２０９と前記ベースバンドチップ２０５との間に設置される。
【００４４】
図２に示す無線周波数リンク送受信性能を向上させる装置に基づいて、本発明の実施例における無線周波数リンク送受信性能を向上させる方法は、図３に示すように、信号を送信する際に、以下のステップを含む。
【００４５】
ステップ１１：無線周波数送受信チップは、ベースバンドチップが出力したベースバンド信号を高周波キャリア信号上に変調して、前記高周波キャリア信号を送信フィルタに送信する。
【００４６】
ステップ１２：送信フィルタは、受信した前記高周波キャリア信号をフィルタリングした後に、パワーアンプに送信する。
【００４７】
ステップ１３：パワーアンプは、受信した前記高周波キャリア信号を増幅した後に、第１アンテナ接触リードを介して送信アンテナに送信する。
【００４８】
図２に示す無線周波数リンク送受信性能を向上させる装置に基づいて、本発明の実施例における無線周波数リンク送受信性能を向上させる方法は、図４に示すように、信号を受信する際に、以下のステップを含む。
【００４９】
ステップ２１：受信アンテナは、基地局が送信した信号を第２アンテナ接触リードを介して受信フィルタに送信する。
【００５０】
ステップ２２：受信フィルタは、受信した信号をフィルタリングした後に、無線周波数送受信チップに送信する。
【００５１】
ステップ２３：無線周波数送受信チップは、受信した信号を復調して、復調後の信号をベースバンドチップに送信して後続の情報処理を行う。
【００５２】
本発明の実施例は、無線周波数リンク送受信性能を向上させるテスト装置を更に提供し、図５に示すように、前記装置は、テスト信号を送信するように設定される信号送信部分、テスト信号を受信するように設定される信号受信部分、信号送信部分と信号受信部分をテストするように設定される信号テスト部分、及び前記テスト装置に電源を供給するように設定される給電部分を含み、
前記信号送信部分におけるパワーアンプ３０４は、前記信号テスト部分における無線周波数メインスイッチ３１６の第1オンオフポート３２０に接続され、前記信号受信部分における受信フィルタ３１２は、テストリンクにおける無線周波数メインスイッチ３１６の第３オンオフポート３１５に接続され、前記信号テスト部分における無線周波数メインスイッチ３１６の第２オンオフポート３１９は、抵抗３１８によって接地され、前記抵抗３１８の抵抗値が５０Ωである。
【００５３】
具体的に、前記信号送信部分は、ベースバンドチップ３０９、無線周波数送受信チップ３０６、及び送信フィルタ３０５を更に含み、前記ベースバンドチップ３０９は、前記無線周波数送受信チップ３０６に相互接続され、前記無線周波数送受信チップ３０６の出力は、前記送信フィルタ３０５に接続され、前記送信フィルタ３０５は、前記パワーアンプ３０４に接続される。
【００５４】
前記信号受信部分は、無線周波数送受信チップ３０６とベースバンドチップ３０９を更に含み、前記ベースバンドチップ３０９は、前記無線周波数送受信チップ３０６に相互接続され、前記受信フィルタ３１２の出力は、前記無線周波数送受信チップ３０６に接続される。
【００５５】
前記信号テスト部分は、統合測定器３２２、ベースバンドチップ３０９、及び無線周波数テストソケット３０３を更に含み、前記無線周波数テストソケット３０３は、前記無線周波数メインスイッチ３１６と前記ベースバンドチップ３０９との間に設置され、前記統合測定器３２２は、前記無線周波数テストソケット３０３に接続される。
【００５６】
前記給電部分は、ベース３０８、テスト給電接点３０７、及びMicro-USBソケット３１０を含み、或いは、前記給電部分は、ベース３０８、Micro-USBソケット３１０、及びMicro-USB接続線３１１を含み、前記給電部分は、外部テスト機器に無線周波数リンク送受信性能を向上させるテスト装置の診断ポートを接続するように設定される。
【００５７】
図５に示す無線周波数リンク送受信性能を向上させるテスト装置に基づいて、本発明の実施例における無線周波数リンク送受信性能を向上させるテスト方法は、信号テスト部分の無線周波数メインスイッチ３１６の第１オンオフポート３２０を、信号送信部分におけるパワーアンプ３０４に接続し、信号テスト部分の無線周波数メインスイッチ３１６の第３オンオフポート３１５を、信号受信部分における受信フィルタ３１２に接続して、信号テスト部分の無線周波数メインスイッチ３１６の第２オンオフポート３１９を、抵抗３１８によって接地し、無線周波数テストソケット３０３を、統合測定器３２２に接続し、図６に示すように、無線周波数送信リンクをテストする際に、以下のステップを含む。
【００５８】
ステップ３１：ベースバンドチップは、無線周波数リンクがキャリブレーション状態にあるかどうかを判断し、そうであると、ステップ３２を実行し、そうでないと、プロセスが終了する。
【００５９】
具体的に、前記無線周波数リンク送受信性能を向上させるテスト装置は、給電とセルフテストを完了した後に、ベースバンドチップは、無線周波数メインスイッチの共通端と第２オンオフポートとの連通を制御し、この時、無線周波数テストソケットは、無線周波数メインスイッチと抵抗によって接地され、ベースバンドは、抵抗の存在を検出することができる。
【００６０】
無線周波数同軸ケーブルは、無線周波数テストソケットに接続された後に、無線周波数同軸ケーブルは、無線周波数テストソケットによって無線周波数メインスイッチに接続され、ベースバンドチップは、抵抗の存在を検出できないと、無線周波数リンクがキャリブレーション状態にあると判断する。
【００６１】
前記無線周波数リンク送受信性能を向上させるテスト装置の給電は、テスト給電接点によって、前記無線周波数リンク送受信性能を向上させるテスト装置に電源を供給し、且つMicro-USBソケットによって、テストコンピュータに前記無線周波数リンク送受信性能を向上させるテスト装置の診断ポートを接続すること、或いは手動テストでは単独にMicro-USB接続線を使用して前記無線周波数リンク送受信性能を向上させるテスト装置におけるMicro-USBソケットに接続し、前記無線周波数リンク送受信性能を向上させるテスト装置に電源を供給し、及び外部テスト機器に無線周波数リンク送受信性能を向上させるテスト装置の診断ポートを接続すること、を含む。
【００６２】
ステップ３２：ベースバンドチップは、送信リンクキャリブレーション命令を送信し、無線周波数メインスイッチを制御し、共通端と第１オンオフポートとを連通させ、パワーアンプと無線周波数テストソケットとを連通させる。
【００６３】
ステップ３３：無線周波数送受信チップは、ベースバンドチップが出力したベースバンド信号を高周波キャリア信号上に変調し、前記高周波キャリア信号を送信フィルタに送信する。
【００６４】
ステップ３４：送信フィルタは、受信した前記高周波キャリア信号をフィルタリングした後に、パワーアンプに送信する。
【００６５】
ステップ３５：パワーアンプは、受信した前記高周波キャリア信号を増幅した後に、無線周波数テストソケットを経由して、統合測定器に送信する。
【００６６】
図５に示す無線周波数リンク送受信性能を向上させるテスト装置に基づいて、本発明の
実施例における無線周波数リンク送受信性能を向上させるテスト方法は、信号テスト部分の無線周波数メインスイッチ３１６の第１オンオフポート３２０を、信号送信部分におけるパワーアンプ３０４に接続し、信号テスト部分の無線周波数メインスイッチ３１６の第３オンオフポート３１５を、信号受信部分における受信フィルタ３１２に接続し、信号テスト部分の無線周波数メインスイッチ３１６の第２オンオフポート３１９を、抵抗３１８によって接地し、無線周波数テストソケット３０３を、統合測定器３２２に接続し、図７に示すように、無線周波数受信リンクをテストする際に、以下のステップを含む。
【００６７】
ステップ４１：ベースバンドチップは、無線周波数リンクがキャリブレーション状態にあるかどうかを判断し、そうであると、ステップ４２を実行し、そうでないと、プロセスが終了する。
【００６８】
具体的に、前記無線周波数リンク送受信性能を向上させるテスト装置は、給電とセルフテストを完了した後に、ベースバンドチップは、無線周波数メインスイッチの共通端と第２オンオフポートとの連通を制御し、この時、無線周波数テストソケットは、無線周波数メインスイッチと抵抗によって接地され、ベースバンドは、抵抗の存在を検出することができる。
【００６９】
無線周波数同軸ケーブルは、無線周波数テストソケットに接続された後に、無線周波数同軸ケーブルは、無線周波数テストソケットによって無線周波数メインスイッチに接続され、ベースバンドチップは、抵抗の存在を検出できないと、無線周波数リンクがキャリブレーション状態にあると判断する。
【００７０】
前記無線周波数リンク送受信性能を向上させるテスト装置の給電は、テスト給電接点によって、前記無線周波数リンク送受信性能を向上させるテスト装置に必要な電源を供給し、且つMicro-USBソケットによって、テストコンピュータに前記無線周波数リンク送受信性能を向上させるテスト装置の診断ポートを接続すること、或いは手動テストでは、単独にMicro-USB接続線を使用して、前記無線周波数リンク送受信性能を向上させるテスト装置におけるMicro-USBソケットに接続し、前記無線周波数リンク送受信性能を向上させるテスト装置に電源を供給し、及び外部テスト機器に、無線周波数リンク送受信性能を向上させるテスト装置の診断ポートを接続することを含む。
【００７１】
ステップ４２：ベースバンドチップは、受信リンクキャリブレーション命令を送信して、無線周波数メインスイッチを制御し、共通端と第３オンオフポートとを連通させ、受信フィルタと無線周波数テストソケットとを連通させる。
【００７２】
ステップ４３：統合測定器が送信した信号を、無線周波数テストソケットを経由して、受信フィルタに送信する。
【００７３】
ステップ４４：受信フィルタは、受信した信号をフィルタリングした後に、無線周波数送受信チップに送信する。
【００７４】
ステップ４５：無線周波数送受信チップは、受信した信号を復調して、復調した信号をベースバンドチップに送信して情報処理を行う。
【００７５】
本発明の実施例における無線周波数リンク送受信性能を向上させる移動端末は、図８に示すように、前記移動端末は、移動端末表ハウジング４０１、移動端末裏ハウジング４０３、無線周波数リンク送受信性能を向上させる装置４０２、送信アンテナ４０４、及び受信アンテナ４０５を含み、前記無線周波数リンク送受信性能を向上させる装置４０２は、図２に示す装置である。或いは、前記移動端末は、移動端末表ハウジング ４０１、移動端末裏ハウジング４０３、無線周波数リンク送受信性能を向上させるテスト装置４０２’、送信アンテナ４０４、及び受信アンテナ４０５を含み、前記無線周波数リンク送受信性能を向上させるテスト装置４０２’は、図５に示すテスト装置である。
【００７６】
本発明の実施例において、ソフトウェア機能モジュールの形式で上記無線周波数リンク送受信性能を向上させる方法、及び/又は無線周波数リンク送受信性能を向上させるテスト方法を実現して、独立な製品として販売又は使用する際に、１つのコンピュータの読み取り可能な記憶媒体に記憶されることもできる。このような理解に基づいて、本発明の実施例の技術的解決手段は、本質で又は従来の技術に貢献する部分はソフトウェア製品の形式で表されることができ、該コンピュータソフトウェア製品は１つの記憶媒体に記憶され、若干の命令を含んで１つのコンピュータ機器（パーソナルコンピュータ、サーバ、或いはネットワーク機器等であってよい）が本発明の各実施例による方法の全部又は一部を実行させる。前記の記憶媒体は、Ｕディスク、移動ハードディスク、読み出し専用メモリー（Read Only Memory、ＲＯＭ）、ディスク或いはＣＤ等の様々なプログラムコードを記憶できる媒体を含む。このように、本発明の実施例は、いずれの特定のハードウェアとソフトウェアとの組み合わせに制限されない。
【００７７】
対応的に、本発明の実施例は、コンピュータ記憶媒体を更に提供し、該コンピュータ記憶媒体にコンピュータプログラムが記憶され、該コンピュータプログラムは本発明の実施例の上記無線周波数リンク送受信性能を向上させる方法、及び/又は無線周波数リンク送受信性能を向上させるテスト方法を実行することに用いられる。
【００７８】
以上説明したものは、本発明の好ましい実施例だけであり、本発明の保護範囲を制限するためのものではない。
【図１】
2017505040.tif 000003
【図２】
2017505040.tif 000004
【図３】
2017505040.tif 000005
【図４】
2017505040.tif 000006
【図５】
2017505040.tif 000007
【図６】
2017505040.tif 000008
【図７】
2017505040.tif 000009
【図８】
2017505040.tif 000010
【国際調査報告】
2017505040.tif 000011
2017505040.tif 000012
2017505040.tif 000013
2017505040.tif 000014